(57)【要約】【課題】本発明は、作業者が間接活線工具を遠隔操作することによって、コンクリート柱の頭部に安全に被せることができるコンクリート柱頭部キャップを提供することにある。【解決手段】コンクリート柱５の頭部Ｕを保護するためのコンクリート柱頭部キャップであって、前記キャップ本体１の外面側には、間接活線工具１０によって掴むことができる被把持部２，３を備えていることを特徴とする。【選択図】      図１
2004300886.tif 000002
【特許請求の範囲】
【請求項１】
コンクリート柱（５）の頭部（Ｕ）を保護するためのコンクリート柱頭部キャップであって、
キャップ本体（１）の外面側には、間接活線工具（１０）によって掴むことのできる被把持部（２，３）を備えていることを特徴とするコンクリート柱頭部キャップ。
【請求項２】
前記被把持部（２）は、キャップ本体（１）の上端部に備えてあり、さらに被把持部（２）は、上方に向けて突出した尖り状をなすことを特徴とする請求項１記載のコンクリート柱頭部キャップ。
【発明の詳細な説明】
【０００１】
【産業上の利用分野】
本発明はおもに、コンクリート柱の頭部の劣化防止、及び鳥害を防ぐためのコンクリート柱頭部キャップに関するものである。
【０００２】
【従来の技術】
コンクリート柱は一般的に遠心力を利用して製造されることから、その内部が中空に形成されており、このことから、コンクリート柱を立てた際の前記中空部分への水の浸入を防ぐために、当該コンクリート柱の頭部をモルタルで塞ぐものであった。しかしながら前記頭部は通常野晒しの状態にあるため、長期間風雨に晒されるとモルタルが劣化して崩れた欠片が道路に落下し、通行人や走行車両に危険を及ぼすものであった。
【０００３】
【発明が解決しようとする課題】
そこで従来の問題点を鑑みて、図５のようなコンクリート柱頭部キャップが広く使用されており、このキャップの構成は、コンクリート柱２４の頭部２３において、上端に鳥避け棒２２の突出した樹脂製のキャップ本体２１を被せるものであった。しかしながら前記のようなキャップは、すでに製造工場においてコンクリート柱の頭部にキャップを嵌めてある状態で現場に搬送されていたため、仮に、コンクリート柱を立てた後にキャップが破損し、当該キャップの交換を要する場合には、作業者がコンクリート柱に近寄って破損した既存のキャップを直接手で取り外し、さらに、新しいキャップを被せなければならず、このことから、作業者が電気の通った電線（以下、活線と記す。）に触れて短絡事故を起こす危険があった。
【０００４】
本発明は、作業者が間接活線工具を遠隔操作することによって、コンクリート柱の頭部に安全に被せることができるコンクリート柱頭部キャップを提供することにある。
【０００５】
【課題を解決するための手段】
本発明のうち請求項１記載の発明は、コンクリート柱の頭部を保護するためのコンクリート柱頭部キャップであって、キャップ本体の外面側には、間接活線工具によって掴むことができる被把持部を備えていることを特徴とする。
【０００６】
ここで被把持部は、間接活線工具により本キャップをしっかりと把持できる形態であればよく、具体的には、キャップ本体から外側に突出した板体や、或いは受部材などが挙げられる。また被把持部は、前述のとおりに間接活線工具により掴むことができるものであれば、被把持部の形態、及び当該被把持部をキャップ本体に備える位置や数については、特に限定するものではない。
【０００７】
このように形成すると、作業者は間接活線工具を用いて本キャップの被把持部を掴み、さらに前記間接活線工具によってコンクリート柱から離れた場所で遠隔操作しながら、本キャップをコンクリート柱の頭部に嵌めることができるので、作業者は短絡事故の危険を確実に回避できる。
【０００８】
本発明のうち請求項２記載の発明では、前記被把持部は、キャップ本体の上端部に備えてあり、さらに前記被把持部は、上方に向けて突出した尖り状をなすので、本キャップの上部側において平坦な部分が皆無となるから、これにより、本キャップの上に鳥が止まりにくくなる。
【０００９】
ここでキャップ本体の上端部とは、本キャップをコンクリート柱の頭部に取り付けた場合に、最も高い位置となる箇所を意味しており、具体的には、キャップ本体の頂部などが挙げられる。また尖り状とは、被把持部の先端部分において平坦な部分が少ない形状のものを意味し、具体的には槍の刃先のようなものや、或いは円錐状をなすものが挙げられる。また、尖り状に形成した被把持部に合わせて、キャップ本体全体を傘状に形成すれば、一層の鳥害防止効果を発揮できる。
【００１０】
【発明の実施の形態】
次に本発明のコンクリート柱頭部キャップの実施形態を図面に基づいて以下に説明する。
【００１１】
まず本キャップは図１と図２のように、可撓性を有する合成樹脂によって全体をお椀型に形成したキャップ本体１と、当該キャップ本体１の頂部及び側面部にそれぞれ備わる被把持部２，３と、本キャップをコンクリート柱５の頭部Ｕにしっかりと固定する係止片４と、から構成するものである。
【００１２】
そして、前記キャップ本体１は図１に示すように、コンクリート柱５の頭部Ｕの全体に被さるように、当該コンクリート柱５の周壁に沿って筒状をなす周側壁部６と、該周側壁部６の上方側を覆うように笠状をなす天蓋部７と、からなっており、この周側壁部６と天蓋部７とは射出成形によって一体成形されている。さらに前記天蓋部７の形状は、前述のように笠状をなすものであるが、特に傾斜の強いテーパ面に形成してあり、これは、コンクリート柱５頭部Ｕの水捌けを良好にするとともに、当該コンクリート柱５頭部Ｕにおける冠雪を防止する効果を発揮している。
【００１３】
次に、各被把持部２，３について図３（ａ）（ｂ）に基づいて説明すると、当該各被把持部２、３は前述のとおり、キャップ本体１の天蓋部７の中心位置と周側壁部６にそれぞれ備えており、さらに各被把持部２，３のうち、まずキャップ本体１の天蓋部７に設ける被把持部（以下、上被把持部と記す。）２については、上方に向けて突出する尖った槍の刃先のような形状をなしており、これは、槍状に形成し、上被把持部２の先端において平坦な部分を極力小さくすることで、鳥が本キャップに止まりにくくするものである。しかも、当該上被把持部２の両側面は、それぞれ凹凸面をなす噛合部９を備えており、これにより、間接活線工具１０の作用部１１と噛合して、作業時における間接活線工具１０による把持力を飛躍的に向上するものである。
【００１４】
一方、キャップ本体１の周側壁部６に設けた被把持部（以下、横被把持部と記す。）３については、キャップ本体１の周側壁部６から板体が横方向やや斜め下側に向けて突出しており、さらに、この板体の上下両面側には、それぞれに山切り状の凹凸面をなす噛合部９，９が備えてあり、この噛合部９，９を間接活線工具１０の作用部１１により把持することで、間接活線工具１０によって本キャップがしっかり掴まれ、これにより、作業中に間接活線工具１０の作用部１１から本キャップが不意に離脱することのない構成となっている。
【００１５】
また、本キャップのコンクリート柱５頭部Ｕへの取付は、キャップ本体１の内周面の複数箇所に係止片４を備え、この係止片４は片の厚みを０．５〜１．０ｍｍ程度とし、これにより、当該各係止片４が上下方向に加わる力に対して追従しながら彎曲して変形するので、仮に、本キャップをコンクリート柱５頭部Ｕに嵌合した場合に、各係止片４がそれに伴って上方に彎曲して変形し、さらに、各係止片４の先端部分がコンクリート柱５の周側部のコンクリート表面を押圧しながら嵌り込んでいくことで、本キャップがしっかりとコンクリート柱５頭部Ｕに嵌り込むことになる。
【００１６】
上記のように構成した本キャップを実際にコンクリート柱５の頭部Ｕに嵌める場合には、まず作業者は、間接活線工具１０によって本キャップのいずれかの被把持部２，３を掴み、さらに前記本キャップをコンクリート柱５頭部Ｕに軽く被せる。そして、前述のように軽く被さった状態にある本キャップを、再び間接活線工具１０を遠隔操作し、被把持部２，３を掴みながら下方側に引き落とすことで、本キャップがコンクリート柱５の頭部Ｕにおいて、上方から下方に向けて徐々に嵌り込んでいき、本キャップの取付作業が完了することになる。（図３（ａ）（ｂ）、及び図４（ａ）（ｂ）参照）。
【００１７】
【発明の効果】
本発明のうち請求項１記載の発明によれば、間接活線工具によってコンクリート柱の頭部に取り付けられるので、作業者がコンクリート柱から距離を置いた状態で取付作業が行えるのは勿論、この種のキャップが嵌められていない既存のコンクリート柱においても容易に取付けできる。
【００１８】
本発明のうち請求項２記載の発明によれば、請求項１記載の発明の効果に加えて、本キャップの上形が尖り状をなすことで、このキャップの上に鳥の止まるスペースがほぼなくなり、これにより鳥害を防ぐことができる。
【図面の簡単な説明】
【図１】本発明のコンクリート柱頭部キャップを実際にコンクリート柱の頭部に取り付けた状態を示す縦断面図である。
【図２】図１のＡ−Ａ線横断面図である。
【図３】（ａ）（ｂ）
本発明のコンクリート柱頭部キャップの取付作業について、横被把持部を掴んで行なうパターンを示す説明図である。
【図４】（ａ）（ｂ）
本発明のコンクリート柱頭部キャップの取付作業について、上被把持部を掴んで行なうパターンを示す説明図である。
【図５】従来のコンクリート柱頭部キャップを実際にコンクリート柱の頭部に取り付けた状態を示す正面図である。
【符号の説明】
１  キャップ本体
２  上被把持部（被把持部）
３  横被把持部（被把持部）
５  コンクリート柱
９  噛合部
１０  間接活線工具
１１  作用部
Ｕ  頭部
【図１】
2004300886.tif 000003
【図２】
2004300886.tif 000004
【図３】
2004300886.tif 000005
【図４】
2004300886.tif 000006
【図５】
2004300886.tif 000007